(57)【要約】【課題】天板支持フレームの締結ボルトを外方から隠し、しかもボルトのねじ込み作業も容易に行えるテーブル等の天板支持フレーム構造を提供すること。【解決手段】天板と、複数の支柱と、これら支柱間に橋架した天板支持フレームとを有する天板支持フレーム構造であって、天板支持フレームは支柱に支持される連結フレームＦ１と、この連結フレームＦ１と連結ボルト１５を介して連結されるねじ孔ＴＨを有する中間フレーム６とで構成され、中間フレーム６にはフレームの長手方向に向くねじ孔ＴＨが形成され、連結フレームＦ１側から連結ボルト１５が中間フレーム６のねじ孔ＴＨに螺合できるように連結フレームＦ１の下面と天板内側面Ｆ１ｄが開口した構成とすることで、連結ボルト１５を中間フレーム６の長手方向に容易に挿入することができる。【選択図】  図５
2004159725.tif 000002
【特許請求の範囲】
【請求項１】
天板と、複数の支柱と、該支柱間に橋架した天板支持フレームとを有するテーブル等の天板支持フレーム構造であって、前記天板支持フレームは支柱に支持される連結フレームと、該連結フレームとネジ結合する雌ネジ部を有する中間フレームとで構成され、連結フレーム側から中間フレームの雌ネジ部に向かって雄ネジ部材が挿入できるように連結フレームの下面と天板内側面の少なくとも一部が開口していることを特徴とするテーブル等の天板支持フレーム構造。
【請求項２】
前記連結フレームは少なくとも天板下面を支える上面と、天板外側面と、中間フレーム接続面を有する角形管体で構成され、前記中間フレームは該連結フレームの角形管体と嵌挿可能な角形管体で構成され、前記雌ネジ部は前記中間フレームの角形管体の内面に固着したネジ座に形成されている請求項１に記載のテーブル等の天板支持フレーム構造。
【請求項３】
前記中間フレーム接続面には中間フレーム内面と嵌合可能な突条板が設けられている請求項２に記載のテーブル等の天板支持フレーム構造。
【請求項４】
前記連結フレームは支柱上端に設けた天板受座に対し任意の角度位置に支持固定される請求項１ないし３の何れかに記載のテーブル等の天板支持フレーム構造。
【発明の詳細な説明】
【０００１】
【発明の属する技術分野】
本発明は、天板と、複数の支柱と、該支柱間に橋架した天板支持フレームとを有するテーブルや机等の天板支持フレーム構造に関する。
【０００２】
【従来の技術】
支柱間に天板支持フレームを架橋して天板を支持するようにしたテーブルや机等の天板支持フレーム構造において、従来、天板支持フレームを支柱に取付ける手段として、支柱側から天板支持フレームに向けてボルトを挿入して取付けるようにしたものが知られている（特許文献１参照）。しかしながら、この特許文献１に記載のものは、ボルトをテーブル支柱の外側から直接ねじ込むようにしているため、ボルト頭部が露呈し外観上好ましいものではなかった。
【０００３】
そこで、ボルト頭部を隠す手段として、支柱上部に上面が開口する連結箱を設け、連結箱の開口した上面側からボルトを差し込んで天板支持フレームを連結箱に固着し、その後天板で連結箱の開口を塞ぐことでボルトを隠すようにしたものも開発されている（特許文献２参照）。
【０００４】
【特許文献１】
実願昭６０−７９１７７号（実開昭６１−１９４３３０号公報）の
マイクロフィルム（第５−７頁、第１，２図）
【特許文献２】
実公平４−５０８２５号公報（第１，２頁、図１）
【０００５】
【発明が解決しようとする課題】
しかしながら、上記特許文献２に記載のものは、確かにボルトは天板により隠すことができるが、連結箱の上面側からのみしかボルトを挿入できないので、ボルトを斜めにして挿入螺合しており、締結金具に形成する雌ねじも斜めに形成しなければならず、ボルトのねじ込み作業における位置合わせが面倒であった。しかも連結箱の上面は開口となっているので、支柱上部において天板を広い面積で支えることができなかった。
【０００６】
本発明は、このような状況に鑑みてなされたもので、天板支持フレームの締結ボルトを外方から隠し、しかもボルトのねじ込み作業も容易に行えるテーブル等の天板支持フレーム構造を提供することを目的とするものである。
【０００７】
【課題を解決するための手段】
上記課題を解決するために、本発明のテーブル等の天板支持フレーム構造は、天板と、複数の支柱と、該支柱間に橋架した天板支持フレームとを有するテーブル等の天板支持フレーム構造であって、前記天板支持フレームは支柱に支持される連結フレームと、該連結フレームとネジ結合する雌ネジ部を有する中間フレームとで構成され、該中間フレームにはフレームの長手方向に向く雌ネジ部が形成され、連結フレーム側から雄ネジ部材が中間フレームの雌ネジ部に螺合できるように連結フレームの下面と天板内側面の少なくとも一部が開口していることを特徴としている。
この特徴によれば、雄ねじ部材は連結フレームによって隠すことができ、しかも連結フレームの下面と天板内側面側が開口しているので雄ねじ部材を中間フレームの長手方向に容易に挿入可能である。
【０００８】
本発明のテーブル等の天板支持フレーム構造において、前記連結フレームは少なくとも天板下面を支える上面と、天板外側面と、中間フレーム接続面を有する角形管体で構成され、前記中間フレームは該連結フレームの角形管体と嵌挿可能な角形管体で構成され、前記雌ネジ部は前記中間フレームの角形管体の内面に固着したネジ座に形成されていることが好ましい。
このようにすれば、支柱に支持されている連結フレームの上面で天板を支えることができる。また、ネジ座を連結フレーム側に引き込むことができるのでガタのない連結が達成される。
【０００９】
本発明のテーブル等の天板支持フレーム構造において、前記中間フレーム接続面には中間フレーム内面と嵌合可能な突条板が設けられていることが好ましい。
このようにすれば、突条板が中間フレーム内面に嵌合することで、連結フレームと中間フレームの軸心を正確に一致させることができる。
【００１０】
本発明のテーブル等の天板支持フレーム構造において、前記連結フレームは支柱上端に設けた天板受座に対し任意の角度位置に支持固定されることが好ましい。
このようにすれば、天板形状に応じて天板支持フレームの取付け角度を変更できる。
【００１１】
【発明の実施の形態】
以下、本発明の実施形態を図面に基づいて説明する。図１の（ａ）は本発明の一実施形態に係る天板支持フレーム構造が採用されたテーブルの平面図であって、（ｂ）のＸ−Ｘ断面図、（ｂ）はそのテーブルの側面図、図２は天板支持フレーム構造の要部を示す部分拡大平面図、図３の（ａ）はブラケットの平面図、（ｂ）はブラケットの側面図、図４の（ａ）は天板支持フレームの平面図、（ｂ）は（ａ）のＡ−Ａ断面図、（ｃ）は（ａ）のＢ矢視図であり、図５は天板支持フレームの分解組立斜視図である。
【００１２】
図１に示す符号１はテーブルであって、このテーブル１は、天板２と、この天板２を支持する４本の支柱４ａ、４ｂ、４ｃ、４ｄとを備え、これら支柱４ａ、４ｂ、４ｃ、４ｄの頂部と横長矩形の天板２下面の間にはそれぞれ天板受座となるブラケットＢ１、Ｂ２、Ｂ３、Ｂ４が介設されている。
【００１３】
即ち、これらブラケットＢ１〜Ｂ４は、図２及び図３に示すように支柱４ａ〜４ｄの頂部にボルトを介して取付ける支柱取付け部８ａ（図３ｂ参照）を突設した延出部７と、この延出部７より起立形成された天板取付け部８（ハッチング部）とから構成されている。
【００１４】
この天板取付け部８は、図３（ａ）、（ｂ）に示すように、天板２を取付ける上面に多数のネジ穴が形成されており、天板取付け部８の両側には、一段低く起立形成された段付き面１０ａ、１０ｂを有すると共に、天板取付け部８と相対して離間し、延出部７上面に起立した支柱取付け部８ａが面一に形成されている。
【００１５】
そして、この支柱取付け部８ａには雌ねじが形設されており、支柱の下方から挿入したボルト（図示せず）により、ブラケットＢ１〜Ｂ４がそれぞれの支柱４ａ〜４ｄ頂部に取付けられる。そして延出部７の支持面７ｂ上面には挿通孔ｈ１、ｈ２を有する軸部となる一対の嵌合ボス１２ａ、１２ｂが突設している。
【００１６】
更に、図２に示すように後述する天板支持フレームの一部を構成する連結フレームＦ１、Ｆ２上面の複数の位置決め孔に嵌合する一対の位置決めピンＰ１、Ｐ２（図中黒丸で示される）が突設している。
【００１７】
次に、天板支持フレームに付き図１、図２及び図４、図５を参照して説明する。この天板支持フレームＸは、互いに対向配置された連結フレームＦ１、Ｆ１’とその間に連結された中間フレーム６から成り、同様に連結フレームＦ４、Ｆ４’とその間に連結された中間フレーム６、連結フレームＦ２、Ｆ３とその間に連結された中間フレーム５及び連結フレームＦ２、Ｆ２’とその間に連結された中間フレーム５からそれぞれ構成されている。
【００１８】
先ず、連結フレームに付き説明するが、これら連結フレームは、全て同一構成となっているため、特定の連結フレームＦ１に付き説明する。
【００１９】
連結フレームＦ１は、図４、図５に示すように天板２の下面を支える上面Ｆ１ａと、天板外側面Ｆ１ｂと、中間フレーム接続面Ｆ１ｃと、一部に大きく開放された開口部が形成された天板内側面Ｆ１ｄと、全面が開口する底面とを有する角形管体で構成され、高さが上記ブラケットＢ１の支持面７ｂと天板取付け部８までの高さで形成され、この高さおよび横幅は連結される中間フレーム６と同形の外形で形成され、底面と天板内側面側が開放された中空部２２を有する所定長さの箱形構造で構成されている。
【００２０】
更に、連結フレームＦ１の一端側には、ボルト２８の軸部を上下に挿通する挿通孔２６を設けたボス２０が形成され、その下面にはブラケットＢ１の嵌合ボス１２ａに挿嵌可能な嵌合穴２５ｂが形成されると共に、上面にはボルト２８の頭部が収容されるザグリ穴２５ａが形成されている。
【００２１】
また、連結フレームＦ１の他端側に形成される断面角型筒状の端面には、中間フレーム６の端部内面の内周壁６ａに嵌合可能であって、外周に複数の突条を形成した段付き状の突条板１４が形成され、中央には連結ボルト１５を挿通するためのボルト挿通孔Ｈが形成されている。
【００２２】
次に、連結フレームに連結される中間フレームの接続構造に付き図４及び図５を参照して説明するが、この中間フレームの接続構造は他の全ての中間フレームと同じ構造を有するため特定の中間フレーム６に付き説明する。
【００２３】
この中間フレーム６の端部内面には、連結フレームＦ１の段付き状の突条板１４に嵌合可能な角形の内周壁６ａが形成されており、中間フレーム６の端部から所定深さに雌ねじで構成されるねじ孔ＴＨを形成したネジ座となる盲板６ｂが内周壁に溶着されている。
【００２４】
図４（ａ）に示すように、連結フレームＦ１の挿通孔２６を中心とする半径の円弧上には、複数の位置決め孔Ｑ１、Ｑ２及びＱ３が形成され、その半径は図３（ａ）に示すブラケットＢ１の嵌合ボス１２ａの挿通孔ｈ１の中心から位置決めピンＰ１までの距離と等しい。中間に配設される位置決め孔Ｑ２は、互いに接近した２つの連通する位置決め孔Ｑ２’Ｑ２’’として構成されている。更に、連結フレームＦ１上面のほぼ中央には天板２を取付けるためのボルト挿通孔２４が形成されている。
【００２５】
従って、連結フレームＦ１、Ｆ２の嵌合穴２５ｂがブラケットＢ１の嵌合ボス１２ａ、１２ｂに挿嵌され、位置決め孔Ｑ１が、それぞれブラケットＢ１上の位置決めピンＰ１、Ｐ２に挿嵌された際には、図２に示すように一対の連結フレームＦ１、Ｆ２が互いに直交する角度（９０度）を形成することができる。
【００２６】
図２において、連結フレームＦ１を嵌合ボス１２ａに挿嵌した後、嵌合穴２５ｂを中心として時計回りに回動させて外側の位置決め孔Ｑ３に位置決めピンＰ１を挿嵌させると、嵌合穴２５ｂの中心と位置決めピンＰ１を結ぶ直線に対し連結フレームＦ１は所定角度開いて設置することができる。
【００２７】
以下、同様に位置決め孔Ｑ２’、Ｑ２’’を選択して位置決めピンＰ１に挿嵌させれば、嵌合穴２５ｂの中心と位置決めピンＰ１を結ぶ直線に対し連結フレームＦ１は、それぞれ異なった角度開いて設置できる。
【００２８】
このように本発明の天板支持フレーム構造によれば、この天板支持フレームＸが、４本の支柱４ａ、４ｂ、４ｃ、４ｄに支持される連結フレームＦ１、Ｆ２、Ｆ１’、Ｆ２’、Ｆ３、Ｆ４、Ｆ３’、Ｆ４’と、これら連結フレームと端部同士が連結ボルト１５を介して連結される中間フレーム５、６とで構成され、これら中間フレーム５、６には長手方向に向くねじ孔ＴＨが形成され、上記連結フレーム側から中空部２２を介して連結ボルト１５が中間フレーム５、６のねじ孔ＴＨに螺合できるように上記連結フレームの下面と天板内側面Ｆ１ｄが開口した構成となっているので、連結ボルト１５は天板外側面Ｆ１ｂによってテーブル外方から目視されない。
【００２９】
しかも連結フレームの中空部２２より連結ボルト１５を長手方向に容易に挿入することができ、ボルト挿通孔Ｈを通して中間フレーム５、６のねじ孔ＴＨへの螺着作業を容易に行うことができる。
【００３０】
また、上記のように連結フレームＦ１は、天板２の下面を支える上面Ｆ１ａと、天板外側面Ｆ１ｂと、中間フレーム接続面Ｆ１ｃを有する角形管体で構成され、中間フレーム５は、連結フレームＦ１の段付き状の突条板１４と嵌挿可能な内周壁６ａを有し、内周壁６ａにはねじ孔ＴＨを形成したネジ座となる盲板６ｂが溶着されているので、ねじ込み時に盲板６ｂを連結フレームＦ１側に引き込んでガタのない連結を達成することができる。
【００３１】
更に、連結フレームＦ１は、ブラケットＢ１の嵌合ボス１２ａに、一端下面の嵌合穴２５ｂを挿嵌することで回動可能に保持し、その後ブラケットＢ１に突設した位置決めピンＰ１に対し、複数の位置決め孔Ｑ１、Ｑ２及びＱ３を選択的に係合させることで任意の角度位置に支持固定される。したがって、天板２の形状が横長矩形ばかりでなく、多角形状に形成されたものであっても、天板形状に応じて天板支持フレームの取付け角度を任意の角度位置に変更することができる。
【００３２】
以上、本発明の実施形態を図面により説明してきたが、具体的な構成はこれら実施例に限られるものではなく、例えば、連結フレームの底面は全て開口した例で説明したが、連結ボルト１５が挿入できる程度であればよく、連結フレームの長さと連結ボルト１５の大きさを考慮して一部だけ開口したものでもよい。
【００３３】
【発明の効果】
本発明は以下の効果を奏する。
【００３４】
（ａ）請求項１項の発明によれば、雄ねじ部材は連結フレームによって隠すことができ、しかも連結フレームの下面と天板内側面側が開口しているので雄ねじ部材を中間フレームの長手方向に容易に挿入可能である。
【００３５】
（ｂ）請求項２項の発明によれば、支柱に支持されている連結フレームの上面で天板を支えることができる。また、ネジ座を連結フレーム側に引き込むことができるのでガタのない連結が達成される。
【００３６】
（ｃ）請求項３項の発明によれば、突条板が中間フレーム内面に嵌合することで、連結フレームと中間フレームの軸心を正確に一致させることができる。
【００３７】
（ｄ）請求項４項の発明によれば、天板形状に応じて天板支持フレームの取付け角度を変更できる。
【図面の簡単な説明】
【図１】（ａ）は本発明の一実施形態に係る天板支持フレーム構造が採用されたテーブルの平面図であって、（ｂ）のＸ−Ｘ断面図、（ｂ）はそのテーブルの側面図である。
【図２】天板支持フレーム構造の要部を示す部分拡大平面図である。
【図３】（ａ）はブラケットの平面図、（ｂ）はブラケットの側面図である。
【図４】（ａ）は天板支持フレームの平面図、（ｂ）は（ａ）のＡ−Ａ断面図、（ｃ）は（ａ）のＢ矢視図である。
【図５】天板支持フレームの分解組立斜視図である。
【符号の説明】
１                    テーブル
２                    天板
４ａ〜４ｄ            支柱
５、６                中間フレーム
６ａ                  内周壁
６ｂ                  盲板（ネジ座）
７                    延出部
７ｂ                  支持面
８                    天板取付け部
８ａ                  支柱取付け部
１０ａ、１０ｂ        段付き面
１２ａ、１２ｂ        嵌合ボス
１４                  突条板
１５                  連結ボルト（雄ネジ部材）
２０                  ボス
２２                  中空部
２４                  ボルト挿通孔
２５ａ                ザグリ穴
２５ｂ                嵌合穴
２６                  挿通孔
２８                  ボルト
Ｂ１                  ブラケット
Ｆ１、Ｆ２、          連結フレーム
Ｆ１’、Ｆ２’        連結フレーム
Ｆ３、Ｆ４            連結フレーム
Ｆ３’、Ｆ４’        連結フレーム
Ｆ１ａ                上面
Ｆ１ｂ                天板外側面
Ｆ１ｃ                中間フレーム接続面
Ｆ１ｄ                天板内側面
Ｈ                    ボルト挿通孔
ｈ１、ｈ２            挿通孔
Ｐ１、Ｐ２            位置決めピン
Ｑ１、Ｑ２、Ｑ３      位置決め孔
Ｑ２’、Ｑ２’’        位置決め孔
ＴＨ                  ねじ孔（雌ネジ部）
【図１】
2004159725.tif 000003
【図２】
2004159725.tif 000004
【図３】
2004159725.tif 000005
【図４】
2004159725.tif 000006
【図５】
2004159725.tif 000007